(57)【要約】  空気調和機の室外機は、室外機の外郭を構成する筐体と、筐体の内部に配置され、筐体内を通過する空気の流れを形成する送風機と、筐体の内部に設けられ、筐体内の空間を、熱交換器と送風機とを収納する送風機室と、圧縮機を収納する機械室とに隔てる仕切板と、室外機を制御する制御基板を収納し、仕切板に取り付けられる電気品箱と、を備え、電気品箱は、制御基板に実装された発熱素子に熱的に接続され、送風機室内に突出して発熱素子から発生する熱を放散するヒートシンクと、送風機によって筐体内に吸い込まれた空気をヒートシンクに導く風路を形成するエアガイドと、を有するものである。
2020110165.tif 000002
【特許請求の範囲】
【請求項１】
室外機の外郭を構成する筐体と、
前記筐体の内部に配置され、前記筐体内を通過する空気の流れを形成する送風機と、
前記筐体の内部に設けられ、前記筐体内の空間を、熱交換器と前記送風機とを収納する送風機室と、圧縮機を収納する機械室とに隔てる仕切板と、
前記室外機を制御する制御基板を収納し、前記仕切板に取り付けられる電気品箱と、
を備え、
前記電気品箱は、
前記制御基板に実装された発熱素子に熱的に接続され、前記送風機室内に突出して前記発熱素子から発生する熱を放散するヒートシンクと、
前記送風機によって前記筐体内に吸い込まれた空気を前記ヒートシンクに導く風路を形成するエアガイドと、
を有する空気調和機の室外機。
【請求項２】
前記エアガイドは、
前記筐体内を通過する空気の流れる方向に延びるように形成されている請求項１に記載の空気調和機の室外機。
【請求項３】
前記エアガイドは、
前記筐体の前後方向に延びるように形成されている請求項１又は２に記載の空気調和機の室外機。
【請求項４】
前記エアガイドは、
前記ヒートシンクの突出方向及び前記突出方向の側方の少なくとも一部を覆う請求項１〜３のいずれか１項に記載の空気調和機の室外機。
【請求項５】
前記ヒートシンクは、
前記電気品箱から下方に突出するように形成されており、
前記エアガイドは、
前記ヒートシンクを通過する空気の流れる方向において、前記ヒートシンクの上流側に配置されており、前記ヒートシンクの側方及び下方の少なくとも一部を覆う請求項４に記載の空気調和機の室外機。
【請求項６】
前記エアガイドは、
前記ヒートシンクの下方を覆う底板部と、
前記ヒートシンクの側方を覆う縦板部と、
前記底板部と前記縦板部との間に配置される曲折部と、
を有する請求項５に記載の空気調和機の室外機。
【請求項７】
前記ヒートシンクを支持し、前記電気品箱を前記仕切板に固定するヒートシンクサポートを更に有し、
前記ヒートシンクサポートは、
前記制御基板が取り付けられる基板ホルダーに固定され、前記ヒートシンクが突出するように嵌め込まれて固定される枠体部と、
前記枠体部から前記制御基板の配置側と反対側に延びるように形成され、前記ヒートシンクと対向する側壁部と、
前記側壁部の延びる方向において前記枠体部とは反対側の端部に形成され、前記端部において前記側壁部に対して前記枠体部が立ち上がる方向と反対方向に延びるように形成された取付部と、
を有する請求項６に記載の空気調和機の室外機。
【請求項８】
前記ヒートシンクは、
前記発熱素子を覆う板状部と、
前記板状部から延びるように設けられた複数のフィンと、
を有し、
前記エアガイドは、
前記底板部と前記縦板部と前記曲折部とによって形成され、前記ヒートシンクを通過する空気の流れ方向において上流側の縁部を形成する前縁部と、
前記底板部と前記縦板部と前記曲折部とによって形成され、前記ヒートシンクを通過する空気の流れ方向において下流側の縁部を形成する後縁部と、
を有し、
前記前縁部と、前記枠体部と、前記側壁部とによって形成される上流側開口部は、前記後縁部と、前記板状部と、前記側壁部とによって形成される下流側開口部よりも大きく形成されている請求項７に記載の空気調和機の室外機。
【請求項９】
前記底板部と前記縦板部と前記曲折部とは、それぞれ曲面を構成するように形成されており、前記後縁部から前記前縁部に向かうにつれて開口が徐々に大きくなるように形成されている請求項８に記載の空気調和機の室外機。
【請求項１０】
前記エアガイドは、
固定具によって前記ヒートシンクサポートに固定される請求項７〜９のいずれか１項に記載の空気調和機の室外機。
【請求項１１】
前記エアガイドは、
前記電気品箱が、前記仕切板の上部に配置された場合に、
前記ヒートシンクサポートと、前記仕切板とに挟侍される固定部を有する請求項７〜１０のいずれか１項に記載の空気調和機の室外機。
【請求項１２】
前記取付部には、前記固定部と係合する収納部が形成されており、
前記電気品箱が、前記仕切板の上部に配置された場合に、
前記取付部は、前記仕切板の上部に形成された板状の載板部と当接し、
前記固定部は、前記収納部に収納されている請求項１１に記載の空気調和機の室外機。
【請求項１３】
前記エアガイドは、
前記縦板部の上縁部に設けられた上部係合部と、
前記縦板部の形成側とは反対側の前記底板部の側縁部に設けられた下部係合部と、
を有し、
前記エアガイドが前記ヒートシンクサポートに固定される場合に、
前記上部係合部は、前記枠体部に固定され、
前記下部係合部は、前記取付部に固定される請求項７〜１２のいずれか１項に記載の空気調和機の室外機。
【請求項１４】
前記上部係合部は、柱形状に突出したボス部を有し、
前記枠体部には、凹形状に形成されたボス孔部が形成されており、
前記エアガイドが前記ヒートシンクサポートに取り付けられる場合に、前記ボス部が前記ボス孔部に挿入される請求項１３に記載の空気調和機の室外機。
【請求項１５】
前記取付部には、前記機械室で発生した熱を、前記送風機室に排出するための通風孔が形成されており、
前記下部係合部は、底面部と３側面を形成する側面部とを有し、１つの側面と上面が開口した器状に形成されたカバー部を有し、
前記エアガイドが前記ヒートシンクサポートに取り付けられる場合に、前記カバー部は、前記通風孔を覆う請求項１３又は１４に記載の空気調和機の室外機。
【発明の詳細な説明】
【技術分野】
【０００１】
本発明は、空気調和機の室外機に関するものである。
【背景技術】
【０００２】
従来、空気調和機の室外機として、制御基板を備える室外機が知られている。この室外機の中には、制御基板に実装される発熱素子を冷却するために、発熱素子と接触配置されたヒートシンクを備えるものがある。そして、ヒートシンクと空気との熱交換のために、ヒートシンクを送風機室内に突出させて配置する空気調和機の室外機が提案されている（例えば、特許文献１参照）。
【先行技術文献】
【特許文献】
【０００３】
【特許文献１】特開２０１３−１３３９４８号公報
【発明の概要】
【発明が解決しようとする課題】
【０００４】
近年、空気調和機の室外機は、制御内容の高度化に伴い、制御基板に実装される発熱素子の冷却効率を更に高める必要性が生じている。そして、従来の空気調和機の室外機は、発熱素子の冷却効率を高めるために、ヒートシンクを大型化することでヒートシンクの表面積を増やし、ヒートシンクが空気に触れる面積を増やすことで発熱素子の冷却効率を上げている。しかし、空気調和機の室外機は、送風機室のスペースの関係でヒートシンクの大きさに制約がありヒートシンクを大きくすることなく発熱素子の冷却効率を上げる必要性が生じている。【０００５】
本発明は、上記のような課題を解決するものであり、ヒートシンクを備えた室外機において、ヒートシンクを大型化することなく発熱素子の冷却効率を高める空気調和機の室外機を提供するものである。
【課題を解決するための手段】
【０００６】
本発明の空気調和機の室外機は、室外機の外郭を構成する筐体と、筐体の内部に配置され、筐体内を通過する空気の流れを形成する送風機と、筐体の内部に設けられ、筐体内の空間を、熱交換器と送風機とを収納する送風機室と、圧縮機を収納する機械室とに隔てる仕切板と、室外機を制御する制御基板を収納し、仕切板に取り付けられる電気品箱と、を備え、電気品箱は、制御基板に実装された発熱素子に熱的に接続され、送風機室内に突出して発熱素子から発生する熱を放散するヒートシンクと、送風機によって筐体内に吸い込まれた空気をヒートシンクに導く風路を形成するエアガイドと、を有するものである。
【発明の効果】
【０００７】
本発明の空気調和機の室外機は、送風機によって筐体内に吸い込まれた空気をヒートシンクに導く風路を形成するエアガイドを有するものである。空気調和機の室外機は、エアガイドを用いて風路を形成することで送風機によって筐体内に吸い込まれた空気をヒートシンクに導くことができるため、ヒートシンクを大型化することなくヒートシンクの放熱効率を上げることができる。その結果、空気調和機の室外機は、ヒートシンクを大型化することなく発熱素子の冷却効率を高めることができる。
【図面の簡単な説明】
【０００８】
【図１】本発明の実施の形態に係る室外機の斜視図である。
【図２】本発明の実施の形態に係る室外機の一部を分解した分解斜視図である。
【図３】本発明の実施の形態に係る室外機の一部を分解した分解正面図である。
【図４】本発明の実施の形態に係る室外機の仕切板を示す斜視図である。
【図５】本発明の実施の形態に係る室外機の電気品箱を分解した斜視図である。
【図６】本発明の実施の形態に係る室外機のヒートシンクサポートの斜視図である。
【図７】本発明の実施の形態に係る室外機のエアガイドを上側から見た斜視図である。
【図８】本発明の実施の形態に係る室外機のエアガイドを下側から見た斜視図である。
【図９】本発明の実施の形態に係る室外機の電気品箱と仕切板とを組付けた状態の拡大正面図である。
【図１０】本発明の実施の形態に係る室外機のエアガイドをヒートシンクサポートに取り付けた状態を示す斜視図である。
【図１１】本発明の実施の形態に係る室外機の電気品箱を仕切板に取り付けた状態を示す斜視図である。
【発明を実施するための形態】
【０００９】
以下、本発明における空気調和機の室外機１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】
実施の形態．
［室外機１００］
図１は、本発明の実施の形態に係る室外機１００の斜視図である。図１を用いて、空気調和機の室外機１００の外郭について説明する。図１を含む以下の図面に示すＸ軸は、室外機１００の左右方向を示し、Ｙ軸は室外機１００の前後方向を示し、Ｚ軸は室外機１００の上下方向を示すものである。より詳細には、室外機１００を正面から見たときＸ１側を左側、Ｘ２側を右側、Ｙ軸においてＹ１側を前側、Ｙ２側を後側、Ｚ軸においてＺ１側を上側、Ｚ２側を下側として室外機１００を説明する。なお、室外機１００を正面から見たときとは、筐体５０内を流れる空気の流れ方向において、筐体５０から空気が吹き出される下流側から室外機１００を見た場合の状態をいう。また、明細書中における各構成部材同士の位置関係（例えば、上下関係等）は、原則として、室外機１００を使用可能な状態に設置したときのものである。
【００１１】
（筐体５０）
室外機１００は、図１に示すように、略直方体状に構成された筐体５０を有する。室外機１００の筐体５０は、板金製であり、室外機１００の外郭を構成する。室外機１００の筐体５０は、前面パネル１、背面パネル２、天面パネル３及びベース４を有する。筐体５０は、前面パネル１と、背面パネル２と、天面パネル３と、ベース４とによって箱状に形成されている。
【００１２】
前面パネル１は、横長の第１の側面部１ａと、縦長の第２の側面部１ｂとを有し、室外機１００の上方、すなわち天面パネル３の側から見てＬ字形状となるように折り曲げられた板金パネルである。第１の側面部１ａは、室外機１００の空気が吹き出される側の筐体５０の側壁を構成し、第２の側面部１ｂは、室外機１００内の空気の主たる流れ方向に沿って延びる筐体５０の側壁を構成する。なお、前面パネル１の第１の側面部１ａには、円形状の吹出口１ｃが形成されている。また、前面パネル１の第１の側面部１ａには、吹出口１ｃを覆って送風機５のプロペラファンを保護する矩形形状のファンガード６が取り付けられている。また、第２の側面部１ｂには、室外空気を室外機１００の内部に取り込むための複数のスリットが形成されていてもよい（図示は省略）。なお、第２の側面部１ｂは、図１の斜視図では図示されないため、第２の側面部１ｂに該当する側面の位置を符号と共に矢印付きの引出線で示している。また、前面パネル１は、第１の側面部１ａと、第２の側面部１ｂとを別体として、２つの板金パネルで構成してもよい。
【００１３】
背面パネル２は、天面パネル３の側から見てＬ字形状となるように折り曲げられた板金パネルである。背面パネル２は、第２の側面部１ｂに対面する縦長の第３の側面部２ａと、第１の側面部１ａの一部に対面する第４の側面部２ｂとを有している。第３の側面部２ａには、外部電源と接続したプラグ及び冷媒配管を、内部に引き込むための複数の開口部が形成されている（図示は省略）。また、第３の側面部２ａには、第３の側面部２ａに設けられた複数の開口部を覆い、塵埃又は水の浸入を防ぐためのサービスカバー２ｄが取り付けられている。なお、第４の側面部２ｂは図１の斜視図では図示できないため、第４の側面部２ｂに該当する側面の位置を符号と共に矢印付きの引出線で示している。また、背面パネル２は、第３の側面部２ａと、第４の側面部２ｂとを別体として、２つの板金パネルで構成してもよい。
【００１４】
天面パネル３は、筐体５０の天板を構成し、室外機１００の上部を覆う板金パネルである。天面パネル３は、前面パネル１及び背面パネル２の上縁部に取り付けられている。
【００１５】
ベース４は、筐体５０において天面パネル３と対向し、筐体５０の底板を構成する。ベース４には、前面パネル１及び背面パネル２が取り付けられ、ベース４の下面部には、複数の脚部４ａが設けられている。脚部４ａは、室外機１００を設置場所に固定するための土台となる。なお、ベース４は、図１の斜視図では図示されないため、ベース４に該当するパネルの位置を符号と共に矢印付きの引出線で示している。
【００１６】
（室外機１００の内部構成）
図２は、本発明の実施の形態に係る室外機１００の一部を分解した分解斜視図である。図３は、本発明の実施の形態に係る室外機１００の一部を分解した分解正面図である。次に、図２及び図３を用いて、空気調和機の室外機１００の内部構成について説明する。なお、空気調和機の室外機１００の内部構成をわかりやすく説明するために、図２及び図３では、例えば、前面パネル１、背面パネル２、天面パネル３等、室外機１００の一部の構成部品の図示を省略している。室外機１００は、筐体５０の内部に、仕切板７と、熱交換器１０と、送風機５と、圧縮機１１と、電気品箱１３と、モータ支持部材２２と、を有する。
【００１７】
図４は、本発明の実施の形態に係る室外機１００の仕切板７を示す斜視図である。図２〜図４を用いて仕切板７について説明する。仕切板７は、筐体５０の内部に設けられ、室外機１００の筐体５０内の空間を、送風機室８と機械室９とに隔てる仕切壁である。仕切板７は、筐体５０の内部に設けられた板状の部材であり、例えば、板金等を折曲して形成されている。仕切板７は、筐体５０内においてベース４上に配置され、ベース４から上方向（Ｚ軸方向）に延びるように設けられていると共に、ベース４の前後方向（Ｙ軸方向）に延びるように設けられている。仕切板７は、前面パネル１の第１の側面部１ａと背面パネル２の第４の側面部２ｂとの間に延びるように設けられた仕切壁部７ｄを有する。仕切壁部７ｄの上縁部７ｄ１には、送風機室８側に延びるように曲折された載板部７ｅを有する。載板部７ｅには、電気品箱１３が載置される。
【００１８】
図２及び図３に戻り、送風機室８は、前面パネル１、天面パネル３、ベース４、熱交換器１０、及び仕切板７によって取り囲まれた空間である。送風機室８は、室外機１００の外部から熱交換器１０又は前面パネル１の第２の側面部１ｂに設けられた複数のスリットを介して室外空気を取り込み、室外機１００の内部の空気を吹出口１ｃを介して室外機１００の外部へ排出できるように構成されている。機械室９は、前面パネル１の第１の側面部１ａ、背面パネル２、天面パネル３、ベース４、及び仕切板７によって取り囲まれた空間であり、室外機１００の外部からの塵埃又は水の侵入を回避できる構造となっている。
【００１９】
筐体５０内の送風機室８側の空間には、熱交換器１０と、熱交換器１０に対向するように配置された送風機５とが収納されており、筐体５０内の機械室９側の空間には、圧縮機１１が収納されている。この熱交換器１０及び圧縮機１１は、ベース４上に設置されている。また、仕切板７の上縁部７ｄ１に形成された載板部７ｅには、電気品箱１３が配置されている。電気品箱１３は、圧縮機１１の上方において、送風機室８と機械室９とにわたって配置されている。なお、電気品箱１３は、送風機室８と機械室９とにわたって配置されているものに限定されるものではなく、例えば、主たる部分が機械室９にのみ配置されてもよい。
【００２０】
熱交換器１０は、内部を流れる冷媒と外気との熱交換を行うものであって、暖房運転時には蒸発器として機能し、冷房運転時には凝縮器として機能する。熱交換器１０は、例えば、フィンアンドチューブ型熱交換器として構成でき、冷媒を通過させる複数の伝熱管１０ａと、伝熱管１０ａを流れる冷媒と外気との間の伝熱面積を大きくするための複数のフィン１０ｂとを備えている。熱交換器１０は、平板領域と曲面領域とを有し、ベース４に対して垂直方向に見た場合に、Ｌ字形状に形成されている。なお、図２及び図３では、熱交換器１０がＬ字状に形成された場合について例示しているが、熱交換器１０は、ベース４に対して垂直方向に見た場合に、直線状に形成されたものでもよく、両端に曲面領域を備えたＵ字状に形成されたものでもよい。
【００２１】
送風機５は、筐体５０の内部に配置され、筐体５０内を通過する空気の流れを形成する。送風機５は、図２に示すように、モータ５ａとプロペラファン５ｂとを備えた送風手段であり、熱交換器１０における熱交換を効率的に行うための空気循環を生成する。送風機５は、図２及び図３に示すように、筐体５０内において、熱交換器１０の前方（Ｙ１側）に配置されている。送風機５は、モータ５ａが、モータ支持部材２２に取り付けられて固定される。送風機５は、熱交換器１０とプロペラファン５ｂとの間を負圧にして、筐体５０の背面側（Ｙ２側）から筐体５０の内部に外気を導入し、室外機１００の内部に導入された外気を室外機１００の前面側（Ｙ１側）から筐体５０外に向かって排出する。
【００２２】
圧縮機１１は、吸入した冷媒を圧縮して高温高圧のガス冷媒の状態にして吐出するものである。圧縮機１１は、例えば、ロータリー式、スクロール式又はベーン式等の圧縮機である。圧縮機１１は、インバータ装置を備えていてもよく、インバータ装置によって運転周波数を変化させて、圧縮機１１の容量を変更することができるように構成されてもよい。なお、機械室９には、冷凍サイクル回路を構成する構成要素を接続する冷媒配管１２が配置されている。
【００２３】
［電気品箱１３］
図５は、本発明の実施の形態に係る室外機１００の電気品箱１３を分解した斜視図である。図２、図３、図５を用いて、電気品箱１３について説明する。室外機１００は、図２及び図３に示すように、筐体５０内に、電気品箱１３を有する。電気品箱１３は、仕切板７に取り付けられる。電気品箱１３は、室外機１００の動作を制御するための制御部品等の電気部品を収納する。制御部品は、例えば、回路デバイスなどのハードウェア、又は、ソフトウェアを記憶するメモリとソフトウェアを実行する中央演算処理装置、あるいは、それらの組み合わせで構成される。室外機１００では、室外機１００を制御する制御基板１４が電気品箱１３に収納されている。また、電気品箱１３は、電気品箱１３内に収納されている電気部品等を冷却するヒートシンク１５を有している。制御基板１４が駆動した状態では、トランジスタ及びダイオード等の電子部品が発熱し、制御基板１４の温度が上がる。制御基板１４から熱を放散させて制御基板１４を冷却するために、制御基板１４と熱的に接続されたヒートシンク１５が、電気品箱１３から送風機室８内に突出するように配置される。電気品箱１３から送風機室８内に突出したヒートシンク１５には、送風機室８を流れる空気が当たり、ヒートシンク１５を介して、制御基板１４の熱が放散される。電気品箱１３は更に、送風機５によって筐体５０内に吸い込まれる空気をヒートシンク１５に案内するエアガイド３０を有する。
【００２４】
（制御基板１４）
制御基板１４は、複数の電子部品が実装されている基板である。制御基板１４には、コンデンサあるいは抵抗器等の電子部品がはんだ付けによって取り付けられている。また、制御基板１４には、圧縮機１１及び送風機５の動作を制御するトランジスタ又はダイオード等の発熱素子１４ａが実装されている。なお、図５では、発熱素子１４ａは、制御基板１４の板面とヒートシンク１５との間に配置されているため、発熱素子１４ａの位置を矢印で表わしている。トランジスタ又はダイオード等の発熱素子１４ａは、制御基板１４が駆動している状態で発熱する。制御基板１４には、圧縮機１１及び送風機５のモータ５ａを駆動させる交流電流の周波数を制御するインバータ回路が設けられている。インバータ回路は、周波数制御された交流電流を直流電流から生成する電子回路である。また、制御基板１４には、外部電源から端子台（図示は省略）を介して流れる交流電流を直流電流に変換するコンバータ回路を設けることができる。なお、コンバータ回路は、インバータ回路と同一の制御基板１４に一体に搭載してもよいし、インバータ回路が搭載された基板とは別の制御基板１４に搭載するようにしてもよい。電子部品の取付側を制御基板１４の表面側と仮定した場合に、電気品箱１３は、制御基板１４の裏面側に、基板ホルダー１６と、電気品箱カバー２０と、を有している。
【００２５】
（基板ホルダー１６）
制御基板１４は、ＡＢＳ等の樹脂製の基板ホルダー１６に収納される。換言すれば、基板ホルダー１６は、制御基板１４に取り付けられ、制御基板１４の周縁部と裏面部とを支持している。制御基板１４は、基板ホルダー１６によって、例えば、外部衝撃等から保護される。基板ホルダー１６は、４辺を構成する枠側壁部１６ａによって、矩形の枠状に形成されている。基板ホルダー１６の枠側壁部１６ａの内側には、制御基板１４の裏面部を支持する格子形状の枠１６ｂが構成されている。また、基板ホルダー１６には、端子台サポート２１を取り付けることができる。なお、図５に示すように、電子部品が取り付つけられる制御基板１４の表面部は、制御基板１４の下面部（Ｚ２側）に該当する。また、図５に示すように、電子部品がはんだ付けされる制御基板１４の裏面部は、制御基板１４の上面部（Ｚ１側）に該当する。
【００２６】
（電気品箱カバー２０）
電気品箱１３の上部には板金製の電気品箱カバー２０が設けられている。電気品箱カバー２０は、基板ホルダー１６にはめ込まれており、基板ホルダー１６の格子形状の枠１６ｂの全体を覆っている。電気品箱カバー２０によって、制御基板１４の裏面部は、水又は塵埃の侵入から保護されている。この電気品箱カバー２０は、露等で制御基板１４が濡れて電気的にショートすることを防ぐと共に、たとえショート等により制御基板１４に炎が発生したとしても制御基板１４から外部に炎が移ることを防止する。
【００２７】
（ヒートシンク１５）
電気品箱１３は、制御基板１４の表面部の側に、ヒートシンク１５を有している。より詳細には、制御基板１４の表面部に配置された発熱性のある電子部品の一部には、ヒートシンク１５が取り付けられている。発熱性のある電子部品とは、例えばトランジスタ等の発熱素子１４ａである。ヒートシンク１５は、制御基板１４に実装された発熱素子１４ａに熱的に接続され、送風機室８内に突出して発熱素子１４ａから発生する熱を放散する。
【００２８】
ヒートシンク１５は、発熱素子１４ａを覆う板状部１５ａと、制御基板１４から離れる方向に板状部１５ａから延びるように設けられた複数のフィン１５ｂとを有している。フィン１５ｂはそれぞれ、板状に形成されており、周縁部が、第１の側面部１ａと、第４の側面部２ｂと、ベース４とに面している。そして複数のフィン１５ｂは、第２の側面部１ｂと第３の側面部２ａとの間の方向に並列して配置されている。当該構成によって、送風機室８において、熱交換器１０を通って吹出口１ｃから吹き出される空気が、各フィン１５ｂの表面に沿って流れると共に、各フィン１５ｂの間を流れる。ヒートシンク１５に複数のフィン１５ｂを設けることによって、空気との間の伝熱面積を大きくできるため、電子部品で発生する熱を効率良く放散することができる。また、ヒートシンク１５を室外機１００の送風機室８内に配置することにより、送風機５から送られる空気に熱を効率良く放散することができる。
【００２９】
電気品箱１３は、図５に示すように、制御基板１４の表面部の側に、ヒートシンクサポート１７と、ヒートシンクホルダ１９と、エアガイド３０と、を備えている。
【００３０】
（ヒートシンクサポート１７）
図６は、本発明の実施の形態に係る室外機１００のヒートシンクサポート１７の斜視図である。図５及び図６を用いてヒートシンクサポート１７について説明する。ヒートシンクサポート１７は、電気品箱１３を仕切板７の上部に配置するときに電気品箱１３を支持し仕切板７に固定するものである。ヒートシンクサポート１７は、板金製であり基板ホルダー１６に固定される。ヒートシンクサポート１７は、基板ホルダー１６に固定される枠体部１７ａと、枠体部１７ａから制御基板１４の配置側と反対側に延びる側壁部１７ｂと、側壁部１７ｂの延びる方向において枠体部１７ａとは反対側に形成された取付部１７ｆと、を有する。すなわち、室外機１００の上下方向において、側壁部１７ｂの上端部１７ｂ１に枠体部１７ａが形成されており、側壁部１７ｂの下端部１７ｂ２に取付部１７ｆが形成されている。また、枠体部１７ａと取付部１７ｆとは、側壁部１７ｂの表面側と裏面側に形成されている。枠体部１７ａと取付部１７ｆとは、それぞれ側壁部１７ｂに対して略垂直に形成されており、側壁部１７ｂを介して反対側に延びるように形成されている。
【００３１】
枠体部１７ａは、制御基板１４が取り付けられる基板ホルダー１６に取り付けられて固定される。そして、枠体部１７ａには、ヒートシンク１５が突出するように嵌め込まれて固定される。より詳細には、枠体部１７ａは、基板ホルダー１６に取り付けられた状態で、ヒートシンク１５の板状部１５ａとヒートシンクホルダ１９とを覆って支持する。ヒートシンクサポート１７の枠体部１７ａは、中空の矩形の枠体状に形成されており、枠体状に形成された壁部の内側には開口部１７ｃが形成されている。ヒートシンクサポート１７の枠体部１７ａは、開口部１７ｃにヒートシンク１５のフィン１５ｂが嵌め込まれて固定されることで、開口部１７ｃを介してヒートシンク１５のフィン１５ｂを露出させる。ヒートシンクサポート１７の開口部１７ｃを介して露出したヒートシンク１５のフィン１５ｂによって、送風機室８を流れる風がフィン１５ｂに触れ、フィン１５ｂを介して制御基板１４から熱が放散されて制御基板１４が冷却される。
【００３２】
枠体部１７ａは、電気品箱カバー２０及び基板ホルダー１６の枠１６ｂと平行に配置される下壁部１７ａ１を有する。下壁部１７ａ１は、開口部１７ｃを介して側壁部１７ｂと反対側に設けられている。すなわち、下壁部１７ａ１は、側壁部１７ｂから立ち上がるように形成された枠体部１７ａの先端部に形成されている。下壁部１７ａ１は、枠体部１７ａが、基板ホルダー１６に取り付けられた状態で、ヒートシンク１５の板状部１５ａとヒートシンクホルダ１９とを下側から覆って支持する。換言すれば、枠体部１７ａが、基板ホルダー１６に取り付けられた状態で、ヒートシンク１５の板状部１５ａとヒートシンクホルダ１９とは、基板ホルダー１６の枠１６ｂと下壁部１７ａ１との間に配置される。
【００３３】
下壁部１７ａ１には、エアガイド３０がヒートシンクサポート１７に取り付けられる場合に、エアガイド３０に形成された後述する上部固定孔３５ａと連通する下壁孔部１７ａ２が形成されている。下壁孔部１７ａ２及び上部固定孔３５ａには、エアガイド３０をヒートシンクサポート１７に固定するための、例えば、ネジ等の固定具３４が挿入される。また、下壁部１７ａ１には、エアガイド３０がヒートシンクサポート１７に取り付けられる場合に、エアガイド３０に形成されたボス部３５ｂが挿入されるボス孔部１７ａ３が形成されている。ボス孔部１７ａ３は、枠体部１７ａの下壁部１７ａ１に形成された凹形状の部分である。
【００３４】
側壁部１７ｂは、枠体部１７ａから制御基板１４の配置側と反対側に延びるように形成され、ヒートシンク１５と対向する。すなわち、側壁部１７ｂは、枠体部１７ａからヒートシンク１５のフィン１５ｂの突出方向と同一方向に延びるように設けられている。側壁部１７ｂは、板状に形成された側壁である。側壁部１７ｂは、矩形状に形成された枠体部１７ａの一辺から下方（Ｚ２方向）に延びるように形成されている。側壁部１７ｂの下端部１７ｂ２は、仕切板７の上部に取り付けられ、側壁部１７ｂは、機械室９と送風機室８とを隔てる壁として機能する。ヒートシンクサポート１７は、枠体部１７ａと側壁部１７ｂとが前面パネル１の第１の側面部１ａの側から見て逆Ｌ字形状の外観を有している。また、ヒートシンクサポート１７は、側壁部１７ｂと取付部１７ｆとが前面パネル１の第１の側面部１ａの側から見てＬ字形状を構成するように配置されている。
【００３５】
取付部１７ｆは、側壁部１７ｂの延びる方向において枠体部１７ａとは反対側の下端部１７ｂ２に形成されている。また、取付部１７ｆは、下端部１７ｂ２において側壁部１７ｂに対して枠体部１７ａが立ち上がる方向と反対方向に延びるように形成されている。取付部１７ｆは、側壁部１７ｂの下端部１７ｂ２に設けられた板状の部材である。取付部１７ｆには、機械室９で発生した熱を、送風機室８に排出するための通風孔１７ｆ１が形成されている。通風孔１７ｆ１は、取付部１７ｆに形成された貫通孔である。また、取付部１７ｆには、エアガイド３０がヒートシンクサポート１７に取り付けられる場合に、エアガイド３０に形成された下部固定孔３６ｃと連通する取付孔１７ｆ２が形成されている。取付孔１７ｆ２及び下部固定孔３６ｃには、エアガイド３０をヒートシンクサポート１７に固定するための、例えば、ネジ等の固定具３４が挿入される。
【００３６】
取付部１７ｆにはまた、収納部１７ｇが設けられている。収納部１７ｇは、凹形状に形成された部分であり、取付部１７ｆを構成する壁部が制御基板１４の配置側に凹む部分である。エアガイド３０がヒートシンクサポート１７に取り付けられる場合に、収納部１７ｇには、エアガイド３０の後述する固定部３６ｅが収納され、収納部１７ｇは固定部３６ｅと係合する。
【００３７】
ヒートシンクサポート１７は、更に、電気品箱１３を仕切板７に配置する場合に、上下方向（Ｚ軸方方向）に延びる縦壁部１７ｄを有する。縦壁部１７ｄは、ヒートシンクサポート１７の前方側（Ｙ１側）の側部に設けられた柱状部分である。縦壁部１７ｄは、水平断面が略Ｌ字形状に形成されており、側壁部１７ｂの仮想の延長面と平行に形成された取付面部１７ｄ１の下端部には、仕切壁部７ｄに形成されたネジ穴（図示は省略）と連通する固定ネジ穴１７ｅが形成されている。ヒートシンクサポート１７は、枠体部１７ａと、側壁部１７ｂと、取付部１７ｆと、縦壁部１７ｄと、が一体に形成されている。なお、ヒートシンクサポート１７は、枠体部１７ａと、側壁部１７ｂと、取付部１７ｆと、縦壁部１７ｄと、が固定されていれば別体で形成されてもよい。
【００３８】
（ヒートシンクホルダ１９）
ヒートシンクホルダ１９は、ＡＢＳ等の絶縁樹脂製であり、ヒートシンク１５とヒートシンクサポート１７とを電気的に絶縁するために、ヒートシンク１５とヒートシンクサポート１７との間に配置される。ヒートシンクサポート１７は、金属製であり電気を流すために、ヒートシンク１５とヒートシンクサポート１７とが電気的に接続する恐れがある。そのため、ヒートシンクホルダ１９によってヒートシンク１５とヒートシンクサポート１７との電気的な絶縁を確保する。なお、ヒートシンクホルダ１９は、フィン１５ｂを貫通させるための矩形状のスリットが設けられており、フィン１５ｂにおける熱放散を妨害しないように構成されている。
【００３９】
（エアガイド３０）
図７は、本発明の実施の形態に係る室外機１００のエアガイド３０を上側から見た斜視図である。図８は、本発明の実施の形態に係る室外機１００のエアガイド３０を下側から見た斜視図である。図７及び図８を用いて、エアガイド３０について説明する。エアガイド３０は、送風機５によって筐体５０内に吸い込まれた空気をヒートシンク１５に導く風路を形成する。エアガイド３０は、例えば樹脂によって形成されている。エアガイド３０は、ヒートシンクサポート１７に取り付けられており、送風機室８に流れる空気を効率良くヒートシンク１５に触れさせる。なお、本実施の形態では、エアガイド３０は、樹脂製としているが、エアガイド３０は、樹脂でなくてもよい。エアガイド３０は、筐体５０内を通過する空気の流れる方向に延びるように形成されている。すなわち、エアガイド３０は、筐体５０の前後方向（Ｙ軸方向）に延びるように形成されている。
【００４０】
エアガイド３０は、底板部３１と、縦板部３２と、曲折部３３と、を有する。エアガイド３０は、底板部３１と縦板部３２と曲折部３３とによる、室外機１００の左右方向（Ｘ軸方向）の垂直断面が、略Ｌ字形状に形成されている。底板部３１と縦板部３２と曲折部３３とにより構成されるエアガイド３０の前縁部３０ａは、電気品箱１３を仕切板７の上部に配置した場合に、熱交換器１０と対向する側の縁部である。また、底板部３１と縦板部３２と曲折部３３とにより構成されるエアガイド３０の後縁部３０ｂは、電気品箱１３を仕切板７の上部に配置した場合に、筐体５０の第１の側面部１ａと対向する側の縁部である。送風機５によって形成される送風機室８内の空気の流れにおいて、前縁部３０ａは、後縁部３０ｂに対して空気の流れの上流側に配置される。前縁部３０ａ及び後縁部３０ｂは、室外機１００を正面から見た場合において、それぞれ略Ｌ字形状に形成されている。エアガイド３０は、前縁部３０ａの長さが後縁部３０ｂの長さよりも大きい。
【００４１】
底板部３１は、電気品箱１３を仕切板７の上部に配置した場合に、ベース４と対向するエアガイド３０の壁部である。底板部３１は、室外機１００の筐体５０内において、エアガイド３０の後縁部３０ｂからエアガイド３０の前縁部３０ａにかけて室外機１００の前後方向（Ｙ軸方向）に延びるように形成された板材である。底板部３１は、後縁部３０ｂから前縁部３０ａにかけて水平面に対して下方に傾斜する斜面を構成している。底板部３１は、後縁部３０ｂから前縁部３０ａにかけて形成する斜面は、曲面を構成する。そのため、底板部３１の後縁部３０ｂと前縁部３０ａとの間における垂直断面は、円弧状に形成されている。底板部３１は、当該断面が室外機１００の左右方向（Ｘ軸方向）に連続するように形成されている。底板部３１の後縁部３０ｂと前縁部３０ａとは、略水平方向に延びる直線状に形成されている。底板部３１は、電気品箱１３を仕切板７の上部に配置した場合に、図３に示すように、ヒートシンク１５とベース４との間に配置される。底板部３１は、ヒートシンク１５の下部の少なくとも一部、すなわち、ヒートシンク１５のベース４側の縁部の少なくとも一部を覆う。
【００４２】
縦板部３２は、電気品箱１３を仕切板７の上部に配置した場合に、室外機１００の筐体５０内において、エアガイド３０の後縁部３０ｂからエアガイド３０の前縁部３０ａにかけて室外機１００の前後方向（Ｙ軸方向）に延びるように形成された板材である。縦板部３２の前縁部３０ａは、底板部３１の前縁部３０ａに対して略垂直となるように形成されている。また、縦板部３２の後縁部３０ｂは、底板部３１の後縁部３０ｂに対して略垂直となるように形成されている。縦板部３２は、後縁部３０ｂから前縁部３０ａにかけて垂直面に対して側方に傾斜する斜面を構成している。なお、ここでいう垂直面とは、水平面に対して垂直な平面であり、室外機１００の前後方向に延びる平面である。縦板部３２は、後縁部３０ｂから前縁部３０ａにかけて形成する斜面は、曲面を構成する。そのため、縦板部３２の後縁部３０ｂと前縁部３０ａとの間における水平断面は、円弧状に形成されている。縦板部３２は、当該断面が室外機１００の上下方向（Ｙ軸方向）に連続するように形成されている。縦板部３２は、ベース４に対する垂直方向の平面視において、後縁部３０ｂから前縁部３０ａにかけて壁が底板部３１から徐々に離れるように形成されている。また、縦板部３２は、ベース４に対する垂直方向の平面視において、後縁部３０ｂから前縁部３０ａにかけて壁が後述する係合側壁部３６ｄから徐々に離れるように形成されている。縦板部３２の後縁部３０ｂと前縁部３０ａとは、上下方向（Ｚ軸方向）に延びる直線状に形成されている。縦板部３２は、電気品箱１３を仕切板７の上部に配置した場合に、図３に示すように、複数のフィン１５ｂの内、機械室９とは最も反対側に配置されたフィン１５ｂの板面の少なくとも一部と対向するように配置される。すなわち、縦板部３２は、電気品箱１３を仕切板７の上部に配置した場合に、機械室９とは反対側のヒートシンク１５の側方の少なくとも一部を覆う。なお、一部とは、例えば、ヒートシンク１５を通過する空気の流れ方向において、ヒートシンク１５の上流側の部分である。
【００４３】
曲折部３３は、電気品箱１３を仕切板７の上部に配置した場合に、室外機１００の筐体５０内において、エアガイド３０の後縁部３０ｂからエアガイド３０の前縁部３０ａにかけて室外機１００の前後方向（Ｙ軸方向）に延びるように形成された板材である。曲折部３３は、底板部３１と縦板部３２との間に形成されている。曲折部３３は、底板部３１の一方の側縁部３１ａと縦板部３２の下縁部３２ａと一体に形成されている。曲折部３３は、室外機１００の左右方向（Ｘ軸方向）の垂直断面において、エアガイド３０の外側に凸となる円弧状に形成されている。そのため、曲折部３３は、底板部３１と縦板部３２との間に曲面を構成する。縦板部３２の後縁部３０ｂと前縁部３０ａとは、室外機１００から見た場合において、円弧状に形成されている。室外機１００から見た場合において、前縁部３０ａの長さは、後縁部３０ｂの長さよりも大きい。したがって、曲折部３３を構成する壁は、後縁部３０ｂから前縁部３０ａにかけて広がるように形成されている。縦板部３２は、電気品箱１３を仕切板７の上部に配置した場合に、ヒートシンク１５の下方の一部と、機械室９とは反対側のヒートシンク１５の側方の一部を覆う。
【００４４】
エアガイド３０は、更に上部係合部３５と、下部係合部３６とを有する。上部係合部３５は、縦板部３２の上縁部３２ｂに設けられた板状の部材である。上部係合部３５は、エアガイド３０をヒートシンクサポート１７に取り付ける際に枠体部１７ａの下壁部１７ａ１と当接する。上部係合部３５には、上部固定孔３５ａと、ボス部３５ｂとが形成されて４いる。上部固定孔３５ａは、上部係合部３５に形成された貫通孔であり、エアガイド３０がヒートシンクサポート１７に取り付けられる場合に、下壁部１７ａ１に形成された下壁孔部１７ａ２と連通する。下壁孔部１７ａ２及び上部固定孔３５ａには、エアガイド３０をヒートシンクサポート１７に固定するための、例えば、ネジ等の固定具３４が挿入される。ボス部３５ｂは、柱形状に突出した凸状部分である。ボス部３５ｂは、エアガイド３０がヒートシンクサポート１７に取り付けられる場合に、下壁部１７ａ１に形成されたボス孔部１７ａ３に挿入される。ボス部３５ｂは、エアガイド３０をヒートシンクサポート１７へ固定するときの位置決めとして利用される。
【００４５】
下部係合部３６は、底板部３１の側縁部３１ａに対して他方の側縁部３１ｂに形成されている。すなわち、下部係合部３６は、縦板部３２の形成側とは反対側の底板部３１の側縁部３１ｂに設けられている。下部係合部３６は、板状に形成された係合底壁部３６ａと、係合底壁部３６ａから立ち上がるように形成された係合側壁部３６ｄと、を有する。
【００４６】
係合底壁部３６ａは、エアガイド３０がヒートシンクサポート１７に取り付けられる場合に取付部１７ｆと当接する。係合底壁部３６ａは、カバー部３６ｂと、固定部３６ｅと、を有する。また係合底壁部３６ａには、下部固定孔３６ｃが形成されている。
【００４７】
カバー部３６ｂは、係合底壁部３６ａに形成された凹部である。カバー部３６ｂは、底面部３６ｂ２と３側面を形成する側面部３６ｂ１とを有し、係合側壁部３６ｄとは反対側の側面と上面とが開口した器状に形成されている。カバー部３６ｂは、エアガイド３０がヒートシンクサポート１７に取り付けられる場合に、ヒートシンクサポート１７の取付部１７ｆに形成された通風孔１７ｆ１を覆う。
【００４８】
固定部３６ｅは、係合底壁部３６ａの上面部から突出すると共に、係合側壁部３６ｄとは反対側に延びるように設けられた板状の部材である。固定部３６ｅは、例えば、突出部分が平板状の部材として形成される。エアガイド３０がヒートシンクサポート１７に取り付けられる場合に、固定部３６ｅは、取付部１７ｆに形成された収納部１７ｇに収納され、収納部１７ｇと係合する。
【００４９】
下部固定孔３６ｃは、係合底壁部３６ａに形成された貫通孔であり、エアガイド３０がヒートシンクサポート１７に取り付けられる場合に、取付部１７ｆに形成された取付孔１７ｆ２と連通する。取付孔１７ｆ２及び下部固定孔３６ｃには、エアガイド３０をヒートシンクサポート１７に固定するための、例えば、ネジ等の固定具３４が挿入される。
【００５０】
係合側壁部３６ｄは、係合底壁部３６ａから立ち上がるように形成された側壁であり、係合底壁部３６ａに対して略垂直に形成されている。係合底壁部３６ａは、係合側壁部３６ｄの一方の板面側に形成されており、底板部３１は、係合側壁部３６ｄの他方の板面側に形成されている。すなわち、係合底壁部３６ａと、底板部３１とは、係合側壁部３６ｄを介して反対側に形成されている。係合底壁部３６ａは、係合側壁部３６ｄの下端部３６ｄ１に形成されている。底板部３１は、係合側壁部３６ｄの上端部３６ｄ２から下端部３６ｄ１にかけて形成されている。底板部３１の後縁部３０ｂは、係合側壁部３６ｄの上端部３６ｄ２側に位置し、底板部３１の前縁部３０ａは、係合側壁部３６ｄの下端部３６ｄ１側に位置している。係合側壁部３６ｄは、エアガイド３０がヒートシンクサポート１７に取り付けられる場合に、ヒートシンクサポート１７の側壁部１７ｂと対向する。
【００５１】
図９は、本発明の実施の形態に係る室外機１００の電気品箱１３と仕切板７とを組付けた状態の拡大正面図である。電気品箱１３と仕切板７とを組付けると、ヒートシンクサポート１７は、仕切板７の上方に配置され、ヒートシンクサポート１７の取付部１７ｆと、載板部７ｅとが当接する。そして、電気品箱１３を仕切板７へ載せた時、ヒートシンクサポート１７は仕切板７の載板部７ｅの上面部に載置される。室外機１００は、ヒートシンクサポート１７の取付部１７ｆに通風孔１７ｆ１を形成することによって、機械室９で発生した熱を、通風孔１７ｆ１を通して送風機室８に排出することができる。
【００５２】
図１０は、本発明の実施の形態に係る室外機１００のエアガイド３０をヒートシンクサポート１７に取り付けた状態を示す斜視図である。なお、点線の矢印で表わされている方向ＦＬは、ヒートシンク１５を通過する空気の流れる方向を表わしている。エアガイド３０は、固定具３４によってヒートシンクサポート１７に固定される。エアガイド３０がヒートシンクサポート１７に固定される場合に、上部係合部３５は、枠体部１７ａに固定され、下部係合部３６は、取付部１７ｆに固定される。エアガイド３０が、ヒートシンクサポート１７に取り付けられる場合に、上述したボス部３５ｂがボス孔部１７ａ３に挿入され、ヒートシンクサポート１７に対するエアガイド３０の位置決めが行われる。
【００５３】
固定具３４によってエアガイド３０がヒートシンクサポート１７に固定されると、エアガイド３０は、ヒートシンク１５の突出方向及び突出方向の側方の少なくとも一部を覆う。より詳細には、ヒートシンク１５は、電気品箱１３から下方（Ｚ２方向）に突出するように形成されている。そして、エアガイド３０は、ヒートシンク１５を通過する空気の流れる方向ＦＬにおいて、ヒートシンク１５の上流側に配置されており、ヒートシンク１５の側方（Ｘ１側）及び下方（Ｚ２側）の少なくとも一部を覆う。この際、底板部３１は、ヒートシンク１５の下方（Ｚ２側）を覆い、縦板部３２は、ヒートシンク１５の側方（Ｘ１側）覆い、曲折部３３は、底板部３１と縦板部３２との間に配置されている。なお、エアガイド３０は、突出方向及び突出方向の側方の一部を覆う構成に限定されるものではなく、エアガイド３０は、突出方向及び突出方向の側方の全部を覆う構成であってもよい。したがって、エアガイド３０は、ヒートシンク１５の側方（Ｘ１側）及び下方（Ｚ２側）の一部を覆う構成に限定されるものではなく、ヒートシンク１５の側方（Ｘ１側）及び下方（Ｚ２側）の全部を覆う構成であってもよい。
【００５４】
固定具３４によってエアガイド３０がヒートシンクサポート１７に固定されると、図１０に示すように、エアガイド３０の固定部３６ｅは、ヒートシンクサポート１７の収納部１７ｇに収納される。
【００５５】
図１０に示すように、エアガイド３０は、前縁部３０ａと後縁部３０ｂとを有する。前縁部３０ａは、底板部３１と縦板部３２と曲折部３３とによって形成され、ヒートシンク１５を通過する空気の流れ方向において上流側の縁部を形成する。後縁部３０ｂは、底板部３１と縦板部３２と曲折部３３とによって形成され、ヒートシンク１５を通過する空気の流れ方向において下流側の縁部を形成する。
【００５６】
エアガイド３０がヒートシンクサポート１７に固定されると、後縁部３０ｂから前縁部３０ａに向かって外側に向かって徐々に広がった開口を形成する。室外機１００は、前縁部３０ａと、枠体部１７ａと、側壁部１７ｂとによってエアガイド３０の上流側の開口となる上流側開口部３７ａが形成される。また、室外機１００は、後縁部３０ｂと、板状部１５ａと、側壁部１７ｂとによってエアガイド３０の下流側の開口となる下流側開口部３７ｂが形成される。前縁部３０ａによって形成された上流側開口部３７ａは、ヒートシンク１５を冷却するための空気を集めるために後縁部３０ｂが形成する下流側開口部３７ｂと比較して大きな開口を形成している。底板部３１と縦板部３２と曲折部３３とは、それぞれ曲面を構成するように形成されており、後縁部３０ｂから前縁部３０ａに向かうにつれて開口が徐々に大きくなるように形成されている。前縁部３０ａによって形成された開口は、ヒートシンク１５のフィン１５ｂを覆う縦板部３２及び底板部３１によって形成される風路へとつながっている。エアガイド３０の前縁部３０ａは、熱交換器１０と対向するように配置されており、送風機５の駆動により熱交換器１０を通過した空気が、前縁部３０ａによって形成された開口を通過する。前縁部３０ａによって形成された開口を通過する空気は、縦板部３２及び底板部３１の壁面によって形成される流路に沿ってヒートシンク１５に導かれる。縦板部３２及び底板部３１は、壁が曲面を構成するため、前縁部３０ａからヒートシンク１５へ通風抵抗なく空気を導くことができる。
【００５７】
前縁部３０ａと後縁部３０ｂとの間において、上部固定孔３５ａは後縁部３０ｂ側に形成されており、下部固定孔３６ｃは前縁部３０ａ側に形成されている。また、底板部３１の側縁部３１ａと側縁部３１ｂとの間において、上部固定孔３５ａは側縁部３１ａ側に形成されており、下部固定孔３６ｃは側縁部３１ｂ側に形成されている。そのため、ベース４に対する垂直方向の平面視において、底板部３１の対角線上でエアガイド３０がヒートシンクサポート１７に固定される。したがって、エアガイド３０は、ヒートシンクサポート１７に安定した状態で固定される。
【００５８】
カバー部３６ｂは、エアガイド３０がヒートシンクサポート１７に取り付けられる場合にヒートシンクサポート１７の取付部１７ｆに形成された通風孔１７ｆ１を覆う。カバー部３６ｂは、室外機１００が風雨にさらされた場合でも電気品箱１３の内部に雨水が入ってくるのを抑えることができる。また、カバー部３６ｂは、係合底壁部３６ａに形成された凹部である。カバー部３６ｂは、側面部３６ｂ１と底面部３６ｂ２とを有し、係合側壁部３６ｄとは反対側の側面と上面とが開口した器状に形成されている。そのため、機械室９から通風孔１７ｆ１を介してカバー部３６ｂに吹き出される空気は、カバー部３６ｂの上面の開口からカバー部３６ｂ内に入り、側面の開口から、送風機室８内に排出される。
【００５９】
図１１は、本発明の実施の形態に係る室外機１００の電気品箱１３を仕切板７に取り付けた状態を示す斜視図である。電気品箱１３が、仕切板７の上部に配置された場合に、取付部１７ｆは、仕切板７の上部に形成された板状の載板部７ｅと当接し、固定部３６ｅは、収納部１７ｇに収納されている。また、電気品箱１３が仕切板７の上部に配置されると、固定部３６ｅは、ヒートシンクサポート１７の収納部１７ｇと仕切板７の載板部７ｅとによって挟持される。したがって、電気品箱１３が仕切板７の上部に取り付けられると、エアガイド３０は、ヒートシンクサポート１７と仕切板７とによって挟持され、更に安定して電気品箱１３に固定される。
【００６０】
図５に戻り、電気品箱１３は、更に、端子台サポート２１を有してもよい。端子台サポート２１は、端子台（図示は省略）を搭載し、この端子台は、制御基板１４を駆動させるための電源を供給する。端子台には、例えば、サービスカバー２ｄを介して外部の商用電源と接続された配線のプラグが接続される。端子台は、ネジ等（図示は省略）によって、端子台サポート２１に固定されている。また、端子台サポート２１は、基板ホルダー１６にネジ等により固定される。端子台サポート２１は、筐体５０内において機械室９に配置されており、背面パネル２の第３の側面部２ａ側の基板ホルダー１６の端部に取り付けられている。端子台サポート２１は、背面パネル２の第３の側面部２ａ側の基板ホルダー１６の端部から、ベース４に向かって下方（Ｚ２方向）に延びるように配置されている。
【００６１】
［室外機１００の動作］
室外機１００が駆動すると、熱交換器１０内を流れる冷媒と室外空気との間の熱交換の効率を高めるために、送風機５が駆動する。送風機５は、熱交換器１０とプロペラファン５ｂとの間を負圧にして、筐体５０の背面側（Ｙ２側）から筐体５０の内部に外気を導入し、室外機１００の内部に導入された外気を室外機１００の前面側（Ｙ１側）から筐体５０外に向かって排出する。この際、筐体５０の内部では、熱交換器１０を通過した一部の空気が、熱交換器１０と対向するエアガイド３０の前縁部３０ａを通過する。前縁部３０ａは、後縁部３０ｂと比較して大きな開口を形成するために、熱交換器１０を通過した一部の空気を効率よくエアガイド３０に集めることができる。そして、エアガイド３０によって集められた空気は、エアガイド３０の底板部３１と縦板部３２と曲折部３３とに沿うように流れ、ヒートシンク１５に導かれ、ヒートシンク１５の表面に沿って流れる。
【００６２】
［空気調和機の室外機１００の作用効果］
空気調和機の室外機１００は、送風機５によって筐体５０内に吸い込まれた空気をヒートシンク１５に導く風路を形成するエアガイド３０を有するものである。空気調和機の室外機１００は、エアガイド３０を用いて風路を形成することで送風機５によって筐体５０内に吸い込まれた空気をヒートシンク１５に導くことができるため、ヒートシンク１５を大型化することなくヒートシンク１５の放熱効率を上げることができる。その結果、空気調和機の室外機１００は、ヒートシンク１５を大型化することなく発熱素子１４ａの冷却効率を高めることができる。
【００６３】
また、エアガイド３０は、筐体５０内を通過する空気の流れる方向に延びるように形成されている。そのため、エアガイド３０は、通風抵抗を少なくしてヒートシンク１５に空気を案内することができる。その結果、エアガイド３０は、ヒートシンク１５に空気を更に効率よく当てることができ、ヒートシンク１５の放熱効率を上げることができる。
【００６４】
また、エアガイド３０は、筐体５０の前後方向（Ｙ軸方向）に延びるように形成されている。そのため、エアガイド３０は、筐体５０内を通過する空気の流れる方向を特定することができ、ヒートシンク１５に空気を案内することができる。その結果、エアガイド３０は、ヒートシンク１５に空気を更に効率よく当てることができ、ヒートシンク１５の放熱効率を上げることができる。
【００６５】
また、エアガイド３０は、ヒートシンク１５の突出方向及び突出方向の側方の少なくとも一部を覆うように形成されている。そのため、エアガイド３０は、筐体５０内を通過する空気の流れる方向を特定することができ、ヒートシンク１５に空気を効率よく当てることができる。その結果、エアガイド３０は、ヒートシンク１５の放熱効率を上げることができる。
【００６６】
また、エアガイド３０は、ヒートシンク１５を通過する空気の流れる方向ＦＬにおいて、ヒートシンク１５の上流側に配置されており、ヒートシンク１５の側方及び下方の少なくとも一部を覆う。そのため、エアガイド３０は、ヒートシンク１５の上流側でヒートシンク１５を通過する空気を集め、ヒートシンク１５の上流側から下流側にかけて空気を流すことができる。その結果、エアガイド３０は、ヒートシンク１５に空気を効率よく当てることができ、ヒートシンク１５の放熱効率を上げることができる。
【００６７】
また、エアガイド３０は、ヒートシンク１５の下方を覆う底板部３１と、ヒートシンク１５の側方を覆う縦板部３２と、底板部３１と縦板部３２との間に配置される曲折部３３と、を有する。そのため、エアガイド３０は、ヒートシンク１５を覆う底板部３１と、縦板部３２とに沿うように空気を流すことができ、ヒートシンク１５に空気を効率よく当てることができる。その結果、エアガイド３０は、ヒートシンク１５の放熱効率を上げることができる。
【００６８】
また、空気調和機の室外機１００は、ヒートシンク１５を支持し、電気品箱１３を仕切板７に固定するヒートシンクサポート１７を有する。このヒートシンクサポート１７は、枠体部１７ａと、側壁部１７ｂと、取付部１７ｆと、を有する。室外機１００は、ヒートシンクサポート１７を有することで、エアガイド３０によって形成される風路を更に特定することができる。その結果、エアガイド３０は、ヒートシンク１５に空気を更に効率よく当てることができ、ヒートシンク１５の放熱効率を上げることができる。
【００６９】
また、空気調和機の室外機１００は、前縁部３０ａと、枠体部１７ａと、側壁部１７ｂとによって形成される上流側開口部３７ａは、後縁部３０ｂと、板状部１５ａと、側壁部１７ｂとによって形成される下流側開口部３７ｂよりも大きく形成されている。そのため、空気調和機の室外機１００は、単なる筒状の流路と比較して、送風機５の駆動によって筐体５０内を通過する空気を多く集めることができる。その結果、エアガイド３０は、ヒートシンク１５に空気を更に効率よく当てることができ、ヒートシンク１５の放熱効率を上げることができる。
【００７０】
また、エアガイド３０の底板部３１と縦板部３２と曲折部３３とは、それぞれ曲面を構成するように形成されており、後縁部３０ｂから前縁部３０ａに向かうにつれて開口が徐々に大きくなるように形成されている。そのため、エアガイド３０は、通風抵抗を少なくしてヒートシンク１５に空気を案内することができる。その結果、エアガイド３０は、ヒートシンク１５に空気を更に効率よく当てることができ、ヒートシンク１５の放熱効率を上げることができる。
【００７１】
また、エアガイド３０は、固定具３４によってヒートシンクサポート１７に固定される。そのため、エアガイド３０は、ヒートシンク１５との関係において位置が確実に固定され、ヒートシンク１５との間で位置ずれをおこすことがない。その結果、エアガイド３０は、ヒートシンク１５に空気を更に効率よく当てることができ、ヒートシンク１５の放熱効率を上げることができる。
【００７２】
また、エアガイド３０は、電気品箱１３が、仕切板７の上部に配置された場合に、ヒートシンクサポート１７と、仕切板７とに挟侍される固定部３６ｅを有する。そのため、電気品箱１３が仕切板７の上部に取り付けられると、エアガイド３０は、ヒートシンクサポート１７と仕切板７とによって挟持され、更に安定して電気品箱１３に固定される。そして、エアガイド３０は、ヒートシンク１５との関係において位置が確実に固定され、ヒートシンク１５との間で位置ずれをおこすことがない。その結果、エアガイド３０は、ヒートシンク１５に空気を更に効率よく当てることができ、ヒートシンク１５の放熱効率を上げることができる。
【００７３】
また、電気品箱１３が、仕切板７の上部に配置された場合に、取付部１７ｆは、仕切板７の上部に形成された板状の載板部７ｅと当接し、固定部３６ｅは、収納部１７ｇに収納されている。そのため、電気品箱１３が、仕切板７に対して安定して保持されると共に、エアガイド３０は、ヒートシンクサポート１７と仕切板７とによって挟持され、更に安定して電気品箱１３に固定される。そして、エアガイド３０は、ヒートシンク１５との関係において位置が確実に固定され、ヒートシンク１５との間で位置ずれをおこすことがない。その結果、エアガイド３０は、ヒートシンク１５に空気を更に効率よく当てることができ、ヒートシンク１５の放熱効率を上げることができる。
【００７４】
また、エアガイド３０がヒートシンクサポート１７に固定される場合に、上部係合部３５は、枠体部１７ａに固定され、下部係合部３６は、取付部１７ｆに固定される。そのため、エアガイド３０は、ヒートシンク１５との関係において位置が確実に固定され、ヒートシンク１５との間で位置ずれをおこすことがない。その結果、エアガイド３０は、ヒートシンク１５に空気を更に効率よく当てることができ、ヒートシンク１５の放熱効率を上げることができる。
【００７５】
また、エアガイド３０がヒートシンクサポート１７に取り付けられる場合に、ボス部３５ｂがボス孔部１７ａ３に挿入される。そのため、作業者は、エアガイド３０をヒートシンクサポート１７に取り付ける際に、ヒートシンクサポート１７に対するエアガイド３０の位置決めが容易になる。
【００７６】
また、エアガイド３０がヒートシンクサポート１７に取り付けられる場合に、カバー部３６ｂは、通風孔１７ｆ１を覆う。このカバー部３６ｂをエアガイド３０に設けることで、室外機１００が風雨にさらされた場合でも電気品箱１３の内部に雨水が入ってくるのを抑えることができる。カバー部３６ｂは、底面部３６ｂ２と３側面を形成する側面部３６ｂ１とを有し、１つの側面と上面が開口した器状に形成されている。そのため、エアガイド３０は、機械室９から通風孔１７ｆ１を介してカバー部３６ｂに吹き出される空気を、カバー部３６ｂの上面の開口からカバー部３６ｂ内に取り入れ、側面の開口から送風機室８内に排出することができる。
【００７７】
本発明の実施の形態は上記実施の形態に限定されない。例えば、エアガイド３０とヒートシンクサポート１７とを互いに固定する固定具３４はネジに限定されるものではなく、壁部と壁部とを固定できるものであればよく、例えばリベット等であってもよい。
【符号の説明】
【００７８】
１  前面パネル、１ａ  第１の側面部、１ｂ  第２の側面部、１ｃ  吹出口、２  背面パネル、２ａ  第３の側面部、２ｂ  第４の側面部、２ｄ  サービスカバー、３  天面パネル、４  ベース、４ａ  脚部、５  送風機、５ａ  モータ、５ｂ  プロペラファン、６  ファンガード、７  仕切板、７ｄ  仕切壁部、７ｄ１  上縁部、７ｅ  載板部、８  送風機室、９  機械室、１０  熱交換器、１０ａ  伝熱管、１０ｂ  フィン、１１  圧縮機、１２  冷媒配管、１３  電気品箱、１４  制御基板、１４ａ  発熱素子、１５  ヒートシンク、１５ａ  板状部、１５ｂ  フィン、１６  基板ホルダー、１６ａ  枠側壁部、１６ｂ  枠、１７  ヒートシンクサポート、１７ａ  枠体部、１７ａ１  下壁部、１７ａ２  下壁孔部、１７ａ３  ボス孔部、１７ｂ  側壁部、１７ｂ１  上端部、１７ｂ２  下端部、１７ｃ  開口部、１７ｄ  縦壁部、１７ｄ１  取付面部、１７ｅ  固定ネジ穴、１７ｆ  取付部、１７ｆ１  通風孔、１７ｆ２  取付孔、１７ｇ  収納部、１９  ヒートシンクホルダ、２０  電気品箱カバー、２１  端子台サポート、２２  モータ支持部材、３０  エアガイド、３０ａ  前縁部、３０ｂ  後縁部、３１  底板部、３１ａ  側縁部、３１ｂ  側縁部、３２  縦板部、３２ａ  下縁部、３２ｂ  上縁部、３３  曲折部、３４  固定具、３５  上部係合部、３５ａ  上部固定孔、３５ｂ  ボス部、３６  下部係合部、３６ａ  係合底壁部、３６ｂ  カバー部、３６ｂ１  側面部、３６ｂ２  底面部、３６ｃ  下部固定孔、３６ｄ  係合側壁部、３６ｄ１  下端部、３６ｄ２  上端部、３６ｅ  固定部、３７ａ  上流側開口部、３７ｂ  下流側開口部、５０  筐体、１００  室外機。
【図１】
2020110165.tif 000003
【図２】
2020110165.tif 000004
【図３】
2020110165.tif 000005
【図４】
2020110165.tif 000006
【図５】
2020110165.tif 000007
【図６】
2020110165.tif 000008
【図７】
2020110165.tif 000009
【図８】
2020110165.tif 000010
【図９】
2020110165.tif 000011
【図１０】
2020110165.tif 000012
【図１１】
2020110165.tif 000013
【手続補正書】
【提出日】令和2年12月2日(2020.12.2)
【手続補正１】
【補正対象書類名】明細書
【補正対象項目名】０００６
【補正方法】変更
【補正の内容】
【０００６】
本発明の空気調和機の室外機は、室外機の外郭を構成する筐体と、筐体の内部に配置され、筐体内を通過する空気の流れを形成する送風機と、筐体の内部に設けられ、筐体内の空間を、熱交換器と送風機とを収納する送風機室と、圧縮機を収納する機械室とに隔てる仕切板と、室外機を制御する制御基板を収納し、仕切板に取り付けられる電気品箱と、を備え、電気品箱は、制御基板に実装された発熱素子に熱的に接続され、送風機室内に突出して発熱素子から発生する熱を放散するヒートシンクと、送風機によって筐体内に吸い込まれた空気をヒートシンクに導く風路を形成するエアガイドと、ヒートシンクを支持し、電気品箱を仕切板に固定するヒートシンクサポートと、制御基板が取り付けられる基板ホルダーと、を有し、ヒートシンクは、電気品箱から下方に突出するように形成されており、エアガイドは、ヒートシンクの突出方向及び突出方向の側方の少なくとも一部を覆い、ヒートシンクを通過する空気の流れる方向において、ヒートシンクの上流側に配置されており、ヒートシンクの側方及び下方の少なくとも一部を覆い、ヒートシンクの下方を覆う底板部と、ヒートシンクの側方を覆う縦板部と、底板部と縦板部との間に配置される曲折部と、を有し、ヒートシンクサポートは、基板ホルダーに固定され、ヒートシンクが突出するように嵌め込まれて固定される枠体部と、枠体部から制御基板の配置側と反対側に延びるように形成され、ヒートシンクと対向する側壁部と、側壁部の延びる方向において枠体部とは反対側の端部に形成され、端部において側壁部に対して枠体部が延びる方向と反対方向に延びるように形成され、仕切板の上部に配置される取付部と、を有するものである。
【手続補正２】
【補正対象書類名】明細書
【補正対象項目名】００３２
【補正方法】変更
【補正の内容】
【００３２】
枠体部１７ａは、電気品箱カバー２０及び基板ホルダー１６の枠１６ｂと平行に配置される下壁部１７ａ１を有する。下壁部１７ａ１は、開口部１７ｃを介して側壁部１７ｂと反対側に設けられている。すなわち、下壁部１７ａ１は、側壁部１７ｂに対して延びるように形成された枠体部１７ａの先端部に形成されている。下壁部１７ａ１は、枠体部１７ａが、基板ホルダー１６に取り付けられた状態で、ヒートシンク１５の板状部１５ａとヒートシンクホルダ１９とを下側から覆って支持する。換言すれば、枠体部１７ａが、基板ホルダー１６に取り付けられた状態で、ヒートシンク１５の板状部１５ａとヒートシンクホルダ１９とは、基板ホルダー１６の枠１６ｂと下壁部１７ａ１との間に配置される。
【手続補正３】
【補正対象書類名】明細書
【補正対象項目名】００３５
【補正方法】変更
【補正の内容】
【００３５】
取付部１７ｆは、側壁部１７ｂの延びる方向において枠体部１７ａとは反対側の下端部１７ｂ２に形成されている。また、取付部１７ｆは、下端部１７ｂ２において側壁部１７ｂに対して枠体部１７ａが延びる方向と反対方向に延びるように形成されている。取付部１７ｆは、側壁部１７ｂの下端部１７ｂ２に設けられた板状の部材である。取付部１７ｆには、機械室９で発生した熱を、送風機室８に排出するための通風孔１７ｆ１が形成されている。通風孔１７ｆ１は、取付部１７ｆに形成された貫通孔である。また、取付部１７ｆには、エアガイド３０がヒートシンクサポート１７に取り付けられる場合に、エアガイド３０に形成された下部固定孔３６ｃと連通する取付孔１７ｆ２が形成されている。取付孔１７ｆ２及び下部固定孔３６ｃには、エアガイド３０をヒートシンクサポート１７に固定するための、例えば、ネジ等の固定具３４が挿入される。
【手続補正４】
【補正対象書類名】明細書
【補正対象項目名】００４５
【補正方法】変更
【補正の内容】
【００４５】
下部係合部３６は、底板部３１の側縁部３１ａに対して他方の側縁部３１ｂに形成されている。すなわち、下部係合部３６は、縦板部３２の形成側とは反対側の底板部３１の側縁部３１ｂに設けられている。下部係合部３６は、板状に形成された係合底壁部３６ａと、係合底壁部３６ａに対して延びるように形成された係合側壁部３６ｄと、を有する。
【手続補正５】
【補正対象書類名】明細書
【補正対象項目名】００５０
【補正方法】変更
【補正の内容】
【００５０】
係合側壁部３６ｄは、係合底壁部３６ａに対して延びるように形成された側壁であり、係合底壁部３６ａに対して略垂直に形成されている。係合底壁部３６ａは、係合側壁部３６ｄの一方の板面側に形成されており、底板部３１は、係合側壁部３６ｄの他方の板面側に形成されている。すなわち、係合底壁部３６ａと、底板部３１とは、係合側壁部３６ｄを介して反対側に形成されている。係合底壁部３６ａは、係合側壁部３６ｄの下端部３６ｄ１に形成されている。底板部３１は、係合側壁部３６ｄの上端部３６ｄ２から下端部３６ｄ１にかけて形成されている。底板部３１の後縁部３０ｂは、係合側壁部３６ｄの上端部３６ｄ２側に位置し、底板部３１の前縁部３０ａは、係合側壁部３６ｄの下端部３６ｄ１側に位置している。係合側壁部３６ｄは、エアガイド３０がヒートシンクサポート１７に取り付けられる場合に、ヒートシンクサポート１７の側壁部１７ｂと対向する。
【手続補正６】
【補正対象書類名】特許請求の範囲
【補正対象項目名】全文
【補正方法】変更
【補正の内容】
【特許請求の範囲】
【請求項１】
室外機の外郭を構成する筐体と、
前記筐体の内部に配置され、前記筐体内を通過する空気の流れを形成する送風機と、
前記筐体の内部に設けられ、前記筐体内の空間を、熱交換器と前記送風機とを収納する送風機室と、圧縮機を収納する機械室とに隔てる仕切板と、
前記室外機を制御する制御基板を収納し、前記仕切板に取り付けられる電気品箱と、
を備え、
前記電気品箱は、
前記制御基板に実装された発熱素子に熱的に接続され、前記送風機室内に突出して前記発熱素子から発生する熱を放散するヒートシンクと、
前記送風機によって前記筐体内に吸い込まれた空気を前記ヒートシンクに導く風路を形成するエアガイドと、
前記ヒートシンクを支持し、前記電気品箱を前記仕切板に固定するヒートシンクサポートと、
前記制御基板が取り付けられる基板ホルダーと、
を有し、
前記ヒートシンクは、
前記電気品箱から下方に突出するように形成されており、
前記エアガイドは、
前記ヒートシンクの突出方向及び前記突出方向の側方の少なくとも一部を覆い、
前記ヒートシンクを通過する空気の流れる方向において、前記ヒートシンクの上流側に配置されており、前記ヒートシンクの側方及び下方の少なくとも一部を覆い、
前記ヒートシンクの下方を覆う底板部と、
前記ヒートシンクの側方を覆う縦板部と、
前記底板部と前記縦板部との間に配置される曲折部と、
を有し、
前記ヒートシンクサポートは、
前記基板ホルダーに固定され、前記ヒートシンクが突出するように嵌め込まれて固定される枠体部と、
前記枠体部から前記制御基板の配置側と反対側に延びるように形成され、前記ヒートシンクと対向する側壁部と、
前記側壁部の延びる方向において前記枠体部とは反対側の端部に形成され、前記端部において前記側壁部に対して前記枠体部が延びる方向と反対方向に延びるように形成され、前記仕切板の上部に配置される取付部と、
を有する空気調和機の室外機。
【請求項２】
前記エアガイドは、
前記筐体内を通過する空気の流れる方向に延びるように形成されている請求項１に記載の空気調和機の室外機。
【請求項３】
前記エアガイドは、
前記筐体の前後方向に延びるように形成されている請求項１又は２に記載の空気調和機の室外機。
【請求項４】
前記ヒートシンクは、
前記発熱素子を覆う板状部と、
前記板状部から延びるように設けられた複数のフィンと、
を有し、
前記エアガイドは、
前記底板部と前記縦板部と前記曲折部とによって形成され、前記ヒートシンクを通過する空気の流れ方向において上流側の縁部を形成する前縁部と、
前記底板部と前記縦板部と前記曲折部とによって形成され、前記ヒートシンクを通過する空気の流れ方向において下流側の縁部を形成する後縁部と、
を有し、
前記前縁部と、前記枠体部と、前記側壁部とによって形成される上流側開口部は、前記後縁部と、前記板状部と、前記側壁部とによって形成される下流側開口部よりも大きく形成されている請求項１〜３のいずれか１項に記載の空気調和機の室外機。
【請求項５】
前記底板部と前記縦板部と前記曲折部とは、それぞれ曲面を構成するように形成されており、前記後縁部から前記前縁部に向かうにつれて開口が徐々に大きくなるように形成されている請求項４に記載の空気調和機の室外機。
【請求項６】
前記エアガイドは、
固定具によって前記ヒートシンクサポートに固定される請求項１〜５のいずれか１項に記載の空気調和機の室外機。
【請求項７】
前記エアガイドは、
前記電気品箱が、前記仕切板の上部に配置された場合に、
前記ヒートシンクサポートと、前記仕切板とに挟持される固定部を有する請求項１〜６のいずれか１項に記載の空気調和機の室外機。
【請求項８】
前記取付部には、前記固定部と係合する収納部が形成されており、
前記電気品箱が、前記仕切板の上部に配置された場合に、
前記取付部は、前記仕切板の上部に形成された板状の載板部と当接し、
前記固定部は、前記収納部に収納されている請求項７に記載の空気調和機の室外機。
【請求項９】
前記エアガイドは、
前記縦板部の上縁部に設けられた上部係合部と、
前記縦板部の形成側とは反対側の前記底板部の側縁部に設けられた下部係合部と、
を有し、
前記エアガイドが前記ヒートシンクサポートに固定される場合に、
前記上部係合部は、前記枠体部に固定され、
前記下部係合部は、前記取付部に固定される請求項１〜８のいずれか１項に記載の空気調和機の室外機。
【請求項１０】
前記上部係合部は、柱形状に突出したボス部を有し、
前記枠体部には、凹形状に形成されたボス孔部が形成されており、
前記エアガイドが前記ヒートシンクサポートに取り付けられる場合に、前記ボス部が前記ボス孔部に挿入される請求項９に記載の空気調和機の室外機。
【請求項１１】
前記取付部には、前記機械室で発生した熱を、前記送風機室に排出するための通風孔が形成されており、
前記下部係合部は、底面部と３側面を形成する側面部とを有し、１つの側面と上面が開口した器状に形成されたカバー部を有し、
前記エアガイドが前記ヒートシンクサポートに取り付けられる場合に、前記カバー部は、前記通風孔を覆う請求項９又は１０に記載の空気調和機の室外機。
【国際調査報告】
2020110165.tif 000014
2020110165.tif 000015